(57)【特許請求の範囲】
【請求項１】
真空断熱材と、真空断熱材を収容する断熱性を有するブロック体とからなる車両に搭載される移動運搬用の断熱壁部材であって、
ブロック体は真空断熱材を収納する凹部を設けた第１のブロック体と、真空断熱材を収納する凹部を設けた第２のブロック体よりなり、一方のブロック体の凹部には真空断熱材の一面が接着固定され、他方のブロック体の凹部には断熱性を有する緩衝材が装填されており、
真空断熱材を第１のブロック体と第２のブロック体で挾持して収容したとき、真空断熱部材はその一面をブロック体の凹面に接着固定され、他の一面は自由端面として緩衝材に接触し、振動・揺れにより断熱壁部材に外力が加わったとき、ブロック体に収容されている真空断熱材は緩衝材に接触する自由端面で外力を吸収するよう構成してなる断熱壁部材。
【発明の詳細な説明】
【０００１】
【発明の属する技術分野】
本発明は、冷凍車や保冷車等に搭載する移動運搬用の冷凍庫、冷蔵庫、保冷庫等の断熱壁部材に関する。
【０００２】
【従来の技術】
真空断熱パネルは、表１に示すように、熱伝導率が低く、断熱庫の壁材として用いることにより熱侵入量を少なくすることができるため、近年冷蔵庫の壁構造に利用され始めている（特開平６−３３７０９１号公報、特開平９−２６９１７７号公報参照）。
【表１】
0003978850.tif 000002
【０００３】
ここで、真空断熱パネルを配設した冷蔵庫の壁構造を図５に示し、構成を説明する。
真空断熱パネル３０はアルミラミネートフィルム３１内に連続発泡ウレタンフォーム断熱材３３を挿入し、真空雰囲気中で端縁をシール３５して構成されている。
このように構成される真空断熱パネル３０は冷蔵庫の外板２の内側に接着剤２０で取り付けられる。そして、外板２と内板３との間を注入発泡ウレタン４で埋める構造となっている。真空断熱パネル３０は片面を接着剤で外板に、他の一面を発泡ウレタンに接着した状態で固定されている。ここで、符号２９は高温冷媒配管を示す。
【０００４】
【発明が解決しようとする課題】
上記冷蔵庫等に用いられている構造の真空断熱パネルを配設した壁構造を、冷凍車、冷蔵車等の移動用の断熱庫に用いた場合、走行による振動や揺れによる外力により、真空断熱材（パネル）に大さな負荷が加わる。繰返すねじれ、曲げ、振動によりアルミラミネートフィルム３１のシール部３５には引っ張りや摩擦のストレスが発生し、シール部の破断、剥離が起こり、真空状態が維持できなくなり、断熱性能が低下する不具合が発生した。
そこで、本発明は上記した不具合を解消し、走行による振動や揺れに強い壁部材を提供するものである。
【０００５】
【課題を解決するための手段】
本発明の断熱壁部材は、真空断熱材と、真空断熱材を収納する凹部を設けた第１のブロック体と、真空断熱材を収納する凹部を設けた第２のブロック体よりなるブロック体よりなり、真空断熱材は第１のブロック体と第２のブロック体に挾持されると共に、真空断熱材の一面はいずれかのブロック体の凹部に接着固定されてなる構成を具備する。
また、真空断熱材の非接着面とブロック体の凹部との間隙に緩衝材を配設する構成を有する。
【０００６】
【発明の実施の形態】
本発明の壁部材の実施の形態を図面を参照して説明する。
図１は壁部材の展開説明図、図２は壁部材の斜視図、図３は壁部材の断面図である。
壁部材５０は真空断熱材６０と、真空断熱材６０を収容する断熱性を有するブロック体７０よりなる。
真空断熱材６０はアルミラミネートフィルム６１内に連続発泡ウレタンフォーム断熱部６３を挿入し、真空雰囲気中で端縁をシールして構成されている。
ブロック体７０は合成樹脂フォームにより形成した第１のブロック体７０Ａと第２のブロック体７０Ｂよりなる。
第１、第２ブロック体７０Ａ，７０Ｂは真空断熱材６０を収容する凹部７１Ａ，７１Ｂを凹設している。
第１のブロック体７０Ａの凹部７１Ａに真空断熱材６０の一面を接着剤８０を介して接着固定する。
第２のブロック体７０Ｂの凹部７１Ｂには緩衝材９０を装填する。
緩衝材９０はビーズ状のプラスチックフォームや軟質の発泡材など、断熱性を有する素材で構成される緩衝体である。緩衝材９０は凹部７１Ｂに嵌合する形状をなしている。
【０００７】
そして、真空断熱材６０を凹部７１Ａに接着固定した第１のブロック体７０Ａと、緩衝材９０を凹部７１Ｂに装填した第２のブロック体７０Ｂを接合する。
このとき、第１のブロック体７０Ａと第２のブロック体７０Ｂは周縁突面７５で接着剤８０により接着されてブロック体７０を形成している。
すなわち、ブロック体７０内に収容されている真空断熱材６０はその一面が第１のブロック体７０Ａの内面に接着固定され、他の面は自由端面となって、緩衝材９０に接触している。
【０００８】
このように壁部材５０は、熱伝導率が低い真空断熱材６０、および断熱機能を有する緩衝材９０を断熱機能を有するブロック体７０に収納させて断熱機能を有する部材を構成する。
また、ブロック体７０内に収容される真空断熱材６０はその一面のみがブロック体７０に接着され、他の面はブロック体には非接触（自由端面）となっているので、壁部材５０が振動したり、揺れてブロック体に外力が加わったとき、ブロック体に収容される真空断熱材６０は緩衝材９０と接触する自由端面で外力が吸収され、真空断熱材６０にストレスが発生することがない。
【０００９】
この構成による壁部材５０を冷凍車、冷蔵車等の移動用の断熱庫の壁構造として用いたとしても、走行による振動、揺れ等により、部材内に収容される真空断熱材の真空状態が破壊されることなく、長期間真空状態が維持される。
【００１０】
次に、この壁部材５０を車両の断熱庫に用いた場合を説明する（図４参照）。
車両１は車体のフレーム５上に断熱荷箱１００を搭載した構造となっている。
断熱荷箱１００の壁構造は、外板１１０と内板（図示せず）との間に、壁部材５０を配設している。
壁部材５０は適宜サイズの真空断熱部材をブロック体に収容して構成されており、この壁部材５０を複数個組み合わせ、並設して断熱荷箱１００の壁構造としている。
【００１１】
断熱荷箱１００の壁を構成する個々の壁部材５０は、２つ割りの合成樹脂フォーム（ブロック）で真空断熱部材６０を挾持する構成となっており、かつ、どちらかの片側の合成樹脂ブロックと真空断熱部材６０を接着し、他の合成樹脂ブロックとの間は接着せずに緩衝材を入れて、真空断熱部材に負荷がかからない構造となっているので、走行による振動、揺れ等に対しても断熱性を損なわず、長期間の使用に耐えることができる。
【００１２】
【発明の効果】
本発明により、移動用断熱庫の壁材として、振動や変形による負荷に耐えうる、真空断熱部材を内装する壁部材により断熱効果が高い壁部材の長期の使用が可能となった。
【図面の簡単な説明】
【図１】本発明による壁部材の展開説明図。
【図２】壁部材の斜視図。
【図３】図２線Ａ−Ａ断面図。
【図４】壁部材を断熱庫に用いた車両の斜視図。
【図５】従来の冷蔵庫の壁構造を示す断面図。
【符号の説明】
１  車両
５０  壁部材
６０  真空断熱部材
７０  ブロック体
７１Ａ，７１Ｂ  凹部
８０  接着剤
９０  緩衝剤
１００  断熱荷箱
【図１】
0003978850.tif 000003
【図２】
0003978850.tif 000004
【図３】
0003978850.tif 000005
【図４】
0003978850.tif 000006
【図５】
0003978850.tif 000007